(57)【要約】【課題】回動操作部材を備えた錠前装置のキャップカバーを取付ベースに簡単に取り付け、且つ経時に緩むことなく確実に取り付け、しかも、見栄えよく取り付ける。【解決手段】取付ベース２０は、外周に、抜止め顎部１５ａ〜１５ｄを外向きに凸設すると共にばね掛け穴部１７・１８を凹設し、ばね掛け穴部に回転規制ばね２５・２６を掛け止めて、その回転規制ばねの一部に有する折曲凸部２５ａ・２６ａをばね掛け穴部から外向きに突出させてなる一方、キャップカバー３０は、取付ベースに対して着脱するとき、その着脱基準位置で回転規制ばねの折曲凸部が係合する係合溝３３ａ・３３ｂと、取付ベースに対し回転規制ばねに抗して円周方向一側へ回動したときに、折曲凸部が嵌合して回り止めする回転規制穴３５と、抜止め顎部と係合して抜け止めする掛止め顎部３３ｅ〜３３ｈを、それぞれ内周に設ける。【選択図】          図１
0003135177.tif 000002
【実用新案登録請求の範囲】
【請求項１】
ロック部材へ回転を伝達する角軸を中心に貫挿して回転自在に保持する取付ベースを、扉の片側板面に固着する一方、中心に枢着部を設け、該枢着部において前記角軸の外端軸部を一体回転可能に枢着する回動操作部材を回動自在に連結したキャップカバーを、前記取付ベースに被せて着脱可能に冠着してなり、前記扉の片側から前記回動操作部材を回動させて前記角軸を一体回転し、該角軸の回転に基づいて前記ロック部材を出し入れして前記扉を施解錠する錠前装置において、
前記取付ベースは、外周に、抜止め顎部を外向きに凸設すると共にばね掛け穴部を凹設し、該ばね掛け穴部に回転規制ばねを掛け止めて、その回転規制ばねの一部に有する折曲凸部を前記ばね掛け穴部から外向きに突出させてなる一方、
前記キャップカバーは、該取付ベースに対して着脱するとき、その着脱基準位置で前記回転規制ばねの折曲凸部が係合する係合溝と、前記取付ベースに対し前記回転規制ばねに抗して円周方向一側へ回動したときに、前記折曲凸部が嵌合して回り止めする回転規制穴と、前記抜止め顎部と係合して抜け止めする掛止め顎部を、それぞれ内周に設けてなることを特徴とする、錠前装置。
【請求項２】
前記取付ベースの外周に、前記キャップカバーを被せたときに前記回転規制穴を間に挟んだ円周方向両側にばね掛け穴部を一対凹設し、これらばね掛け穴部にそれぞれ前記回転規制ばねを掛け止めて、それら回転規制ばねの一部に有する折曲凸部を前記ばね掛け穴部から外向きに突出させる一方、
前記キャップカバーの内周に、前記回転規制穴を間に挟んだ円周方向両側に前記係合溝を一対凹設すると共に、前記取付ベースに被せて円周方向一側又は他側へ回動したとき、前記一側の回転規制ばねの折曲凸部が前記回転規制穴に嵌合して回り止めすると、他側の回転規制ばねの折曲凸部が係合する逃げ溝を一対凹設し、開閉方向が左右異なる扉の勝手に応じて兼用可能な構成としてなることを特徴とする、請求項１に記載の錠前装置。
【考案の詳細な説明】
【技術分野】
【０００１】
本考案は、開き戸・引戸・折戸等の扉の片側から、サムターン・ハンドル・レバー等の回動操作部材を回動操作してデッドボルト・ラッチ等のロック部材への回転伝達用角軸を回転し、その角軸の回転に基づいてロック部材を錠面から出し入れして扉を施解錠する錠前装置に関する。
【背景技術】
【０００２】
従来、ラバトリーブース等に設置される扉の錠前装置は、図７に示すように、ロック部材への回転伝達用角軸１を中心角穴２ａに貫挿して回転自在に保持する取付ベース２を、扉の片側板面に固着する一方、中心に枢着部４ａを設け、枢着部４ａにおいて角軸１の一端を一体回転可能に枢着したサムターン３を回動自在に連結したキャップカバー４を取付ベース２に被せて着脱可能に冠着した構造になっている。特に、従来の錠前装置では、取付ベース２の外周面に雄ねじ２ｂを螺設する一方、キャップカバー４の円周リブの内周面には、取付ベース２の雄ねじ２ｂに対応させて雌ねじ４ｂを円周方向に螺設し、取付時、取付ベース２にキャップカバー４を被せてから、キャップカバー４を取付ベース２に対し回動して雌ねじ４ｂを取付ベース２の雄ねじ２ｂに螺合し、これにより、美観を損なう原因となる止めねじを用いないで、キャップカバー４を取付ベース２に捩じ込み式で取り付ける構造になっていた。
【考案の開示】
【考案が解決しようとする課題】
【０００３】
ところが、従来の捩じ込み式の錠前装置では、経時、振動や衝撃等の外力を受けて取付ベース２に対するキャップカバー４の捩じ込みに緩みを生じ、場合によっては、キャップカバーがサムターン３ごと取付ベース２から外れて取れてしまうという課題があった。
【０００４】
そこで、従来、他の錠前装置として、図８に示すように、取付ベース２の外周面に、これを扉ｄの片側板面に固定したとき、開口が下向きとなる位置に雌ねじ穴２ｃを螺設する一方、キャップカバー４には、取付ベース２の雌ねじ穴２ｃと対応する位置にねじ挿通穴４ｃを穿設し、取付時、取付ベース２にキャップカバー４を被せてから、止めねじ５を、下方からねじ挿通穴４ｃを通して取付ベース２の雌ねじ穴２ｃに捩じ込んでキャップカバー４を取付ベース２に締着し、これにより、美観を損なう原因となるねじ頭部が上方から露見しないように、キャップカバー４を取付ベース２にねじ止め式で取り付ける構造にしたものがあった。
【０００５】
しかし、従来、ねじ止め式の錠前装置では、取付現場で、ドライバ等を用いて止めねじ５を下方から捩じ込むときに、扉ｄが邪魔でねじ止め作業が困難となり、取付けに手間がかかって面倒であるという課題があった。
【０００６】
そこで、本考案の目的は、回動操作部材を備えた錠前装置のキャップカバーを取付ベースに簡単に取り付け、且つ経時に緩むことなく確実に取り付け、しかも、見栄えよく取り付けることが可能な錠前装置を提供することにある。
【課題を解決するための手段】
【０００７】
上述した課題を解決すべく、請求項１に記載の考案は、たとえば以下に示す図示実施の形態のとおり、デッドボルトやラッチ等のロック部材へ回転を伝達する角軸１０を中心に貫挿して回転自在に保持する取付ベース２０を、扉Ｄの片側板面に固着する一方、中心に枢着部３６を設け、該枢着部３６において前記角軸２０の外端軸部１０ｂを一体回転可能に枢着するサムターン４０のような回動操作部材を回動自在に連結したキャップカバー３０を、前記取付ベース２０に被せて着脱可能に冠着してなり、前記扉Ｄの片側から前記回動操作部材を回動させて前記角軸１０を一体回転し、該角軸１０の回転に基づいて前記ロック部材を出し入れして前記扉Ｄを施解錠する錠前装置において、前記取付ベース２０は、外周に、抜止め顎部１５ａ〜１５ｄを外向きに凸設すると共にばね掛け穴部１７・１８を凹設し、該ばね掛け穴部１７・１８に回転規制ばね２５・２６を掛け止めて、その回転規制ばねの一部に有する折曲凸部２５ａ・２６ａを前記ばね掛け穴部１７・１８から外向きに突出させてなる一方、前記キャップカバー３０は、該取付ベース２０に対して着脱するとき、その着脱基準位置で前記回転規制ばね２５・２６の折曲凸部２５ａ・２６ａが係合する係合溝３３ａ・３３ｂと、前記取付ベース２０に対し前記回転規制ばね２５・２６に抗して円周方向一側へ回動したときに、前記折曲凸部２５ａ・２６ａが嵌合して回り止めする回転規制穴３５と、前記抜止め顎部１５ａ〜１５ｄと係合して抜け止めする掛止め顎部３３ｅ〜３３ｈを、それぞれ内周に設けてなることを特徴とする。
【０００８】
請求項２に記載の考案は、請求項１に記載の錠前装置において、たとえば以下に示す図示実施の形態のとおり、前記取付ベース２０の外周に、前記キャップカバー３０を被せたときに前記回転規制穴３５を間に挟んだ円周方向両側にばね掛け穴部１７・１８を一対凹設し、これらばね掛け穴部１７・１８にそれぞれ前記回転規制ばね２５・２６を掛け止めて、それら回転規制ばね２５・２６の一部に有する折曲凸部２５ａ・２６ａを前記ばね掛け穴部１７・１８から外向きに突出させる一方、前記キャップカバー３０の内周に、前記回転規制穴３５を間に挟んだ円周方向両側に前記係合溝３３ａ・３３ｂを一対凹設すると共に、前記取付ベース２０に被せて円周方向一側又は他側へ回動したとき、前記一側の回転規制ばね２５の折曲凸部２５ａが前記回転規制穴３５に嵌合して回り止めすると、他側の回転規制ばね２６の折曲凸部２６ａが係合する逃げ溝３３ｃ・３３ｄを一対凹設し、開閉方向が左右異なる扉Ｄの勝手に応じて兼用可能な構成としてなることを特徴とする。
【考案の効果】
【０００９】
請求項１に記載の考案によれば、捩じ込み式によらず、また止めねじを用いずに、回動操作部材を備えた錠前装置のキャップカバーを取付ベースに簡単に冠着して取り付け、且つ経時に緩むことなく確実に取り付け、しかも、見栄えよく取り付けることができる。
【００１０】
請求項２に記載の考案によれば、開閉方向が左右異なる扉の勝手に応じて、１つの錠前装置で兼用し、扉の左右勝手に関係なく取付ベースにキャップカバーを簡単に冠着して取り付けることもできる。
【考案を実施するための最良の形態】
【００１１】
以下、図面を参照しつつ、本考案の実施の形態について説明する。
【００１２】
図１（Ａ）は、本考案の一例である錠前装置の正面図、（Ｂ）は錠前装置の内部構造を示す縦断面図、図２および図３は錠前装置の分解斜視図である。図示例の錠前装置は、ロック部材として備えるデッドボルトやラッチ（図示省略）を錠面から出し入れ動作するためにロック部材へ回転を伝達する角軸１０と、回転伝達用角軸１０を回転自在に保持して扉Ｄの片側板面に固着する取付ベース２０と、取付ベース２０に被せて取り付けるキャップカバー３０と、キャップカバー３０に連結して扉の片側からロック部材を出し入れ操作するためのサムターン（回動操作部材）４０を備える。
【００１３】
回転伝達用角軸１０は、断面四角形の回転伝達形状をなす細長い金属製角柱からなり、図示錠前装置では、内端軸部１０ａを前記ロック部材に連結して扉の板厚方向に内設し、外端軸部１０ｂを扉Ｄの片側板面から突出させて回転自在に保持する。
【００１４】
取付ベース２０は、金属製の取付本体１１と、軸受円板１２と、一対の回転規制ばね２５・２６を備える。取付本体１１は、中心に筒挿通穴１３を穿設し、筒挿通穴１３の周りに浅底で略円形状の嵌付凹部１４を凹設する一方、嵌付凹部１４の周縁の外周部１５に、円周方向に略９０度の間隔をあけて４つの抜止め顎部１５ａ〜１５ｄを径方向外向きに突設してなる。嵌付凹部１４には、内周面に、抜止め顎部１５ａ〜１５ｄに対し円周方向に略４５度ずらした位置に、断面山形のピン係合溝１６を深さ方向に設けている。外周部１５には、一対の抜止め顎部１５ａ・１５ｂの設置部位に、第１および第２のばね掛け穴部１７・１８を凹設している。ばね掛け穴部１７・１８は、それぞれ嵌付凹部１４の円周方向に沿って左右対称な円弧状に穿設し、中央部をやや幅広に形成し、その中央部に径方向外向きに開口する矩形なばね嵌込口１７ａ・１８ａを設ける一方、ばね嵌込口１７ａ・１８ａの円周方向両端側を一部幅狭に形成し、そこにばね押え部分１７ｂ・１８ｂを設けた穴形状になっている。
【００１５】
軸受円板１２は、円盤部１２ａと、円盤部１２ａの中心から一側に突出する円筒部１２ｂとからなり、中心には、回転伝達用角軸１０に合わせて、円盤部１２ａと円筒部１２ｂを貫通する断面四角形の筒穴１９を穿設してなる。また、円盤部１２ａには、外周面に対向位置に、径方向外向きに開口する一対のばね収納穴２１を設けている。
【００１６】
回転規制ばね２５・２６は、それぞれ細長い板バネを折り曲げてつくり、中央をコ形状に屈曲させて折曲凸部２５ａ・２６ａを形成すると共に、両端をハ字状に対称に折り曲げて引っ掛け部２５ｂ・２６ｂを形成してなる。回転規制ばね２５・２６は、図４に示すように、取付本体１１のばね掛け穴部１７・１８内へ折曲凸部２５ａ・２６ａを、いったん押圧状態で押し込んで、両端の引っ掛け部２５ｂ・２６ｂをばね押え部分１７ｂ・１８ｂに通して押え保持する一方、折曲凸部２５ａ・２６ａを、押圧状態を解いてばね嵌込口１７ａ・１８ａからばね力で外方へ突出させた状態で、それぞれ取付本体１１に装着している。
【００１７】
そこで、取付ベース２０は、図１〜図４に示すように、取付本体１１を、一対の回転規制ばね２５・２６が真下の床向きの状態にしてから、筒挿通穴１３に回転伝達用角軸１０の外端軸部１０ｂを挿通させて扉Ｄの片側板面にねじ止めする。更に、回転伝達用角軸１０の外端軸部１０ｂを軸受円板１２の筒穴１９に係合させながら、円筒部１２ｂを筒挿通穴１３に挿通させて円盤部１２ａを嵌付凹部１４に嵌め合わせ、軸受円板１２を取付本体１１に対して回転伝達用角軸１０と一体回転可能に組み付ける。そのとき、軸受円板１２は、ばね収納穴２１に圧縮ピンスプリングからなるクリックばね２２を入れてから、先細な係合ピン２３を嵌め込んでクリックばね２２を押し込んだ圧縮状態で、円盤部１２ａを嵌付凹部１４に嵌め込み、クリックばね２２に抗して取付本体１１に対し角軸１０と一体に回転可能に嵌着してなる。
【００１８】
キャップカバー３０は、金属製で、円形のカバー部３１に中心筒穴３２を穿設し、カバー部３１には、その外周縁に円周リブ３３を環状に立ち上げて取付ベース２０の厚さに合わせて浅底な円形キャップ状に一体成形してなる。円形カバー部３１には、表面に９０度開いた扇形の凹みを設けて、そこにロック部材の出し入れストロークと対応させて、サムターン４０の回動角度範囲を施錠位置と解錠位置に規定する回動規制段部３１ａを形成している。
【００１９】
キャップカバー３０は、円周リブ３３の内周に、取付ベース２０の回転規制ばね２５・２６の折曲凸部２５ａ・２６ｂに対応させて、円周方向に９０度の間隔をあけて断面円弧状をなす一対の係合溝３３ａ・３３ｂを深さ方向に凹設すると共に、係合溝３３ａ・３３ｂの中間位置に、折曲凸部２５ａ・２６ｂの形状に合わせて、矩形に切り欠いて開けた回転規制穴３５を設けている。また、円周リブ３３の内周には、係合溝３３ａ・３３ｂからそれぞれ時計方向と反時計方向に４５度離隔した位置に、鈍角に開いた断面Ｖ形をなす逃げ溝３３ｃ・３３ｄを深さ方向に凹設している。更に、円周リブ３３の内周には、取付ベース２０側の抜止め顎部１５ａ〜１５ｄに対応させて、回転規制穴３５の設置位置および回転規制穴３５との対向位置、並びにそれらと直交する逃げ溝３３ｃ・３３ｄの設置位置に、内向きに鍔状に延びる掛止め顎部３３ｅ〜３３ｈを突設してなる。
【００２０】
回動操作部材のサムターン４０は、本体取手部４０ａの一端に、回転伝達用角軸１０に合わせて断面四角形の角穴４１を軸方向にあけた筒部４０ｂを凸設し、筒部４０ｂとキャップカバー３０の中心筒穴３２とで枢着部３６を形成してなる。そして、サムターン４０は、筒部４０ｂを中心筒穴３２に嵌合して止め輪３７でキャップカバー３０に対し抜け止め状態で枢着して回転可能に組み付けてなる。
【００２１】
さて、図示錠前装置では、キャップカバー３０を、扉Ｄの片側板面に固着した取付ベース２０に取り付けるときは、図５に示すように、一対の係合溝３３ａ・３３ｂを、ばね嵌込口１７ａ・１８ａから突出した折曲凸部２５ａ・２６ｂに位置合わせし、その着脱基準位置で、キャップカバー３０を取付ベース２０に被せる。すると、係合溝３３ａ・３３ｂに回転規制ばね２５・２６の折曲凸部２５ａ・２６ｂが係合してキャップカバー３０が取付ベース２０に嵌め合わさる。それから、図示錠前装置において、今、これを付設する扉Ｄの開方向が右向きの右勝手の場合は、キャップカバー３０を取付ベース２０に対して図６中反時計方向（右方向）へ回転させる。すると、キャップカバー３０は、円周リブ３３の内周面で回転規制ばね２５・２６の折曲凸部２５ａ・２６ｂを押し込んで回転し、それから、回転規制穴３５が折曲凸部２５ａの位置に至ると、回転規制ばね２５のばね反発力で折曲凸部２５ａが突出して回転規制穴３５に嵌り込み、折曲凸部２５ａで取付ベース２０に対しキャップカバー３０を回り止めすると共に、その回り止め位置において、掛止め顎部３３ｅ〜３３ｈがそれぞれ抜止め顎部１５ａ〜１５ｄに係合し、取付ベース２０に対しキャップカバー３０を抜け止めして着脱自在に冠着する。このとき、反対側の回転規制ばね２６は、ばね反発力で折曲凸部２６ａが逃げ溝３３ｃに係合する。
【００２２】
他方、図示錠前装置において、今、これを付設する扉の開方向が左向きの左勝手の場合は、キャップカバー３０を取付ベース２０に対して図６中時計方向（左方向）に回転させる。すると、キャップカバー３０は、円周リブ３３の内周面で回転規制ばね２５・２６の折曲凸部２５ａ・２６ｂを押し込んで回転し、それから、回転規制穴３５が折曲凸部２６ａの位置に至ると、回転規制ばね２６のばね反発力で折曲凸部２６ａが突出して回転規制穴３５に嵌り込み、折曲凸部２６ａで取付ベース２０に対しキャップカバー３０を回り止めすると共に、回り止め位置において、掛止め顎部３３ｅ〜３３ｈがそれぞれ抜止め顎部１５ａ〜１５ｄに係合し、取付ベース２０に対しキャップカバー３０を抜け止めして着脱自在に冠着する。このとき、反対側の回転規制ばね２５は、ばね反発力で折曲凸部２５ａが逃げ溝３３ｄに係合する。こうして、図示錠前装置では、捩じ込み式によらず、また止めねじを用いずに、キャップカバー３０を取付ベース２０に簡単に冠着して取り付け、且つ経時に緩むことなく確実に取り付け、しかも、見栄えよく取り付けることができる。加えて、開閉方向が左右異なる扉の勝手に応じて兼用し、扉の左右勝手に関係なく取付ベース２０にキャップカバー３０を簡単に冠着して取り付けることもできる。
【００２３】
次いで、図示錠前装置の使用時、扉Ｄを閉止したときは、図１に示すように、サムターン４０を摘んで、キャップカバー３０の回動規制段部３１ａ上で施錠位置へ９０度回動する。すると、サムターン４０と一体に回転伝達用角軸１０が回転し、この角軸１０の回転に基づいて、ロック部材を錠面から突出させて扉Ｄを施錠する。この場合、取付ベース２０において、取付本体１１の嵌付凹部１４内で回転伝達用角軸１０と一体に軸受円板１２が回動し、９０度回動した地点で、圧縮状態のクリックばね２２に押されて係合ピン２３が突出し、ピン先端がピン係合溝１６に係合してサムターン４０を施錠位置に保持する。従って、サムターン４０は、それを施錠位置へ回動するたびに、クリックばね２２のばね抵抗力を受け、それに基づいて操作者がクリック感を感じて施錠したことを確認することができる。一方、扉Ｄを開くときは、サムターン４０を、キャップカバー３０の回動規制段部３１ａ上で逆向きの解錠位置へ９０度回動する。すると、サムターン４０と一体に回転伝達用角軸１０が回転し、この角軸１０の逆回転に基づいて、ロック部材を錠面から引っ込んで扉Ｄを解錠する。このとき、回転伝達用角軸１０と一体に軸受円板１２が９０度逆向きに回動した地点で、同様に、圧縮状態のクリックばね２２に押されて係合ピン２３が突出し、ピン先端がピン係合溝１６に係合してサムターン４０を解錠位置に保持する。従って、サムターン４０は、それを解錠位置へ回動するときも、その都度、クリックばね２２のばね抵抗力を受け、それに基づいて操作者がクリック感を感じて解錠したことを確認することができる。
【００２４】
さて、図示錠前装置では、必要に応じて、キャップカバー３０を取付ベース２０から取り外すときは、ドライバのような細長い工具等を用い、扉Ｄが右勝手の場合は、回転規制穴３５から外方に臨む回転規制ばね２５の折曲凸部２５ａを、外側からばね力に抗して押し込み、キャップカバー３０の回り止めを解除してから、キャップカバー３０を、円周リブ３３の内周面で折曲凸部２５ａ・２６ｂを押し込んだ状態で元の着脱基準位置へ４５度図６中時計方向に回転する。すると、掛止め顎部３３ｅ〜３３ｈと抜止め顎部１５ａ〜１５ｄの係合が外れて取付ベース２０に対するキャップカバー３０の抜け止めが解除されると共に、回転規制ばね２５・２６の折曲凸部２５ａ・２６ｂが係合溝３３ａ・３３ｂに係合する。従って、キャップカバー３０は、着脱基準位置で取付ベース２０から手前に抜き取れば、簡単に外される。
【００２５】
他方、扉Ｄが左勝手の場合は、回転規制穴３５から外方に臨む回転規制ばね２６の折曲凸部２６ａを、外側からばね力に抗して押し込み、同様に、キャップカバー３０の回り止めを解除してから、キャップカバー３０を元の着脱基準位置へ４５度図６中反時計方向に回転し、掛止め顎部３３ｅ〜３３ｈと抜止め顎部１５ａ〜１５ｄの係合を外して取付ベース２０に対するキャップカバー３０の抜け止めを解除すると共に、回転規制ばね２５・２６の折曲凸部２５ａ・２６ｂを係合溝３３ａ・３３ｂに係合させてから、キャップカバー３０を取付ベース２０から手前に抜き取ればよい。
【図面の簡単な説明】
【００２６】
【図１】（Ａ）は本考案の一例である錠前装置の正面図、（Ｂ）は（Ａ）中線Ｂ−Ｂに沿って得た錠前装置の内部構造を示す縦断面図である。
【図２】錠前装置の分解斜視図である。
【図３】錠前装置を図２とは逆向きで示す分解斜視図である。
【図４】錠前装置において、キャップカバーを外して取付ベースを示す正面図である。
【図５】（Ａ）は取付時に取付ベースに対しキャップカバーを位置合わせする状態を示す斜視図、（Ｂ）は（Ａ）とは逆向きで示す斜視図である。
【図６】取付ベースに対するキャップカバーの取付けを段階的に示す説明図である。
【図７】従来の錠前装置において、取付ベースに対するキャップカバーの捩じ込み式取付構造を示す斜視図である。
【図８】従来の他の錠前装置において、取付ベースに対するキャップカバーのねじ止め式取付構造を示す斜視図である。
【符号の説明】
【００２７】
Ｄ              扉
１０            回転伝達用角軸
１５ａ〜１５ｄ  抜止め顎部
１７・１８      ばね掛け穴部
２０            取付ベース
２５・２６      回転規制ばね
２５ａ・２６ｂ  折曲凸部
３０            キャップカバー
３３ａ・３３ｂ  係合溝
３３ｃ・３３ｄ  逃げ溝
３３ｅ〜３３ｈ  掛止め顎部
３５            回転規制穴
４０            サムターン（回動操作部材）
【図１】
0003135177.tif 000003
【図２】
0003135177.tif 000004
【図３】
0003135177.tif 000005
【図４】
0003135177.tif 000006
【図５】
0003135177.tif 000007
【図６】
0003135177.tif 000008
【図７】
0003135177.tif 000009
【図８】
0003135177.tif 000010